(57)【要約】  本発明は、独立したメッセージページを確立する方法を提供する。この方法は、インスタントメッセージング(IM)クライアントにより、メインパネル内のメッセージに対するトリガイベントを取得し、トリガイベントに従ってメッセージの識別情報を取得するステップ(101)と、IMクライアントにより、メッセージの識別情報に対応する独立したメッセージページを決定するステップ(102)と、IMクライアントにより、独立したメッセージページを表示するステップ(103)とを有する。本発明を使用することにより、IMクライアントの有用性および双方向性を向上させることができる。また、本発明は、上記の方法を適用した装置を提供する。
2013533538.tif 000002
【特許請求の範囲】
【請求項１】
独立したメッセージページを確立するための方法であって、
インスタントメッセージング（ＩＭ）クライアントにより、メインパネル内のメッセージに対するトリガイベントを取得し、前記トリガイベントに従って前記メッセージの識別情報を取得する段階と、
前記ＩＭクライアントにより、前記メッセージの前記識別情報に対応する独立したメッセージページを決定する段階と、
前記ＩＭクライアントにより、前記独立したメッセージページを表示する段階と
を有することを特徴とする方法。
【請求項２】
前記独立したメッセージページページが、送信者情報エリア、送信者メッセージ表示エリア、メッセージソース表示エリア、および特定情報表示エリアのうちの少なくとも１つを含むことを特徴とする請求項１に記載の方法。
【請求項３】
前記独立したメッセージページが前記送信者情報エリアを含む場合、
前記ＩＭクライアントにより、前記メッセージの前記識別情報に対応する独立したメッセージページを確立する前記段階が、
前記ＩＭクライアントにより、前記メッセージの前記識別情報に従って前記メッセージの送信者のユーザ識別番号（ＵＩＮ）を取得する段階と、
前記ＩＭクライアントにより、前記ＵＩＮに従って前記送信者の顔写真画像を取得し、前記送信者の認証情報を取得する段階と、
前記ＩＭクライアントにより、前記送信者情報表示エリアに前記顔写真画像および前記認証情報を表示する段階と
を含むことを特徴とする請求項２に記載の方法。
【請求項４】
前記独立したメッセージページが前記送信者メッセージ表示エリアを含む場合、
前記ＩＭクライアントにより、前記メッセージの前記識別情報に対応する独立したメッセージページを確立する前記段階が、
前記ＩＭクライアントにより、前記メッセージの前記識別情報に従って前記メッセージのコンテンツおよびタイプを取得し、前記送信者メッセージ表示エリアに前記メッセージの前記コンテンツおよび前記タイプを表示する段階
を含むことを特徴とする請求項２に記載の方法。
【請求項５】
前記独立したメッセージページが前記メッセージソース表示エリアを含む場合、
前記ＩＭクライアントにより、前記メッセージの前記識別情報に対応する独立したメッセージページを確立する前記段階が、
前記ＩＭクライアントにより、前記メッセージの前記識別情報に従って前記メッセージのメッセージソースのコンテンツおよびタイプを取得し、前記メッセージソース表示エリアに前記メッセージソースの前記コンテンツおよび前記タイプを表示する段階
を含むことを特徴とする請求項２に記載の方法。
【請求項６】
前記独立したメッセージページが特定情報表示エリアを含む場合、
前記ＩＭクライアントにより、前記メッセージの前記識別情報に対応する独立したメッセージページを確立する前記段階が、
前記ＩＭクライアントにより、前記メッセージの前記識別情報に従って前記メッセージの送信時刻および送信モードを取得し、前記特定情報表示エリアに前記メッセージの前記送信時刻および前記送信モードを表示する段階
を含むことを特徴とする請求項２に記載の方法。
【請求項７】
前記ＩＭクライアントにより、前記メッセージの前記識別情報に対応する独立したメッセージページを決定する前記段階が、
前記ＩＭクライアントにより、前記識別情報に対応する前記独立したメッセージページが前記識別情報に従って確立済みであるか否かを決定する段階と、
前記ＩＭクライアントにより、前記識別情報に対応する前記独立したメッセージページが未確立である場合、前記識別情報に対応する前記独立したメッセージページを確立する段階と
を含むことを特徴とする請求項１に記載の方法。
【請求項８】
前記ＩＭクライアントにより、前記識別情報に対応する前記独立したメッセージページを確立する前記段階が、
独立したメッセージページが未確立である場合、前記独立したメッセージページを確立する段階であって、前記独立したメッセージページのコンテンツは前記識別情報に対応する、段階と、
確立された独立したメッセージページが前記識別情報に対応していない場合、前記確立された独立したメッセージページを更新する段階であって、更新済みの前記確立された独立したメッセージページのコンテンツは前記識別情報に対応する、段階と
を含むことを特徴とする請求項７に記載の方法。
【請求項９】
前記メッセージの前記識別情報が、前記メッセージのキー値であることを特徴とする請求項１ないし８のいずれか１項に記載の方法。
【請求項１０】
独立したメッセージページを確立するための装置であって、
メインパネル内のメッセージに対するトリガイベントを取得し、前記トリガイベントに従って前記メッセージの識別情報を取得するように構成された取得モジュールと、
前記取得モジュールによって取得された前記メッセージの前記識別情報に対応する独立したメッセージページを決定するように構成された確立モジュールと、
前記確立モジュールによって確立された前記独立したメッセージページを表示するように構成された表示モジュールと
を具備することを特徴とする装置。
【請求項１１】
前記独立したメッセージページが送信者情報エリアを含む場合、前記確立モジュールが、前記メッセージの前記識別情報に従って前記メッセージの送信者のユーザ識別情報（ＵＩＮ）を取得し、前記ＵＩＮに従って前記送信者の顔写真画像を取得し、前記送信者の認証情報を取得して、前記送信者情報エリアに前記顔写真画像および前記認証情報を表示するようにさらに構成されていることを特徴とする請求項１０に記載の装置。
【請求項１２】
前記独立したメッセージページが送信者メッセージ表示エリアを含む場合、前記確立モジュールが、前記メッセージの前記識別情報に従って前記メッセージのコンテンツおよびタイプを取得し、前記送信者メッセージ表示エリアに前記メッセージの前記コンテンツおよび前記タイプを表示するようにさらに構成されていることを特徴とする請求項１０に記載の装置。
【請求項１３】
前記独立したメッセージページがメッセージソース表示エリアを含む場合、前記確立モジュールが、前記メッセージの前記識別情報に従って前記メッセージのメッセージソースのコンテンツおよびタイプを取得し、前記メッセージソース表示エリアに前記メッセージソースの前記コンテンツおよび前記タイプを表示するようにさらに構成されていることを特徴とする請求項１０に記載の装置。
【請求項１４】
前記独立したメッセージページが特定情報表示エリアを含む場合、前記確立モジュールが、前記メッセージの前記識別情報に従って前記メッセージの送信時刻および送信モードを取得し、前記特定情報表示エリアに前記メッセージの前記送信時刻および前記送信モードを表示するようにさらに構成されていることを特徴とする請求項１０に記載の装置。
【請求項１５】
前記識別情報に対応する前記独立したメッセージページが、前記識別情報に従って確立済みであるか否かを決定するように構成された決定モジュールをさらに具備し、
前記識別情報に対応する前記独立したメッセージページが未確立である場合、前記確立モジュールが、前記識別情報に対応する前記独立したメッセージページを確立するようにさらに構成されていることを特徴とする請求項１０に記載の装置。
【請求項１６】
前記確立モジュールが、
独立したメッセージページが未確立である場合、前記独立したメッセージページを確立するように構成された第１ユニットであって、前記独立したメッセージページのコンテンツは前記識別に対応する、第１ユニットと、
確立された独立したメッセージページが前記識別情報に対応していない場合、前記確立された独立したメッセージページを更新するように構成された第２ユニットであって、更新済みの前記確立された独立したメッセージページのコンテンツは前記識別情報に対応する、第２ユニットと
を具備することを特徴とする請求項１５に記載の装置。
【発明の詳細な説明】
【技術分野】
【０００１】
本発明は、インターネット技術に関し、より詳細には、独立したメッセージページ(independent message page)を確立するための方法および装置に関する。
【背景技術】
【０００２】
ネットワーク技術の進歩とネットワークの影響の拡大に伴って、インスタントメッセージング(IM: Instant Messaging)ツールは、多くのインターネットユーザによって受け入れられるようになり、インターネットユーザの基本的なソフトウェアとなってきている。IMツールは、娯楽や通常の作業において広く使用される。したがって、ユーザには、有用性、安定性、および安全性についてIMツールに対する高い要件がある。
【０００３】
IMツールを使用する手順では、IMツールをマイクロブログツールと組み合わせることができる。マイクロブログメッセージは、IMクライアントのメインパネルに経時的に表示される。具体的には、マイクロブログメッセージのすべてが、メインパネルにおけるタブページによって確認することができ、タブページは、ホームページ、@ page(すなわち、再生ページ)、およびゲストページなどを含んでいる。
【０００４】
マイクロブログツールを使用することによって、ユーザは、別のユーザによって公開されたマイクロブログメッセージを受け取るように選択し、別のユーザの視聴者になることができ、また、自分が公開したマイクロブログメッセージを受け取る視聴者をもつことができる。ホームページを使用することによって、ユーザは、他のユーザが公開したマイクロブログメッセージを受け取り、自分が公開したマイクロブログメッセージを確認し、これらのマイクロブログメッセージに対応するコメントを確認し、これらのマイクロブログメッセージに関する他の操作を実行する。この@ pageを使用することによって、ユーザは、自分について言及されているマイクロブログメッセージをすべて確認する。特定の視聴者に対応するゲストページを使用することによって、ユーザは、視聴者が公開したマイクロブログメッセージすべてを確認する。
【０００５】
本発明を実施する手順では、従来のモードの短所が見られる。
【０００６】
ユーザが受け取るマイクロブログメッセージの数があまりにも多すぎると、マイクロブログメッセージを表示するためのIMクライアントのメインパネルにおけるスペースの制限上の理由から、すべてのマイクロブログメッセージを表示することは難しく、したがって、単独のマイクロブログメッセージが表示される場合、この単独のマイクロブログメッセージの詳細を明確にかつ完全に表示することはできない。
【発明の概要】
【発明が解決しようとする課題】
【０００７】
本発明は、独立したメッセージページを確立して、IMクライアントの有用性および双方向性を向上させるための方法ならびに装置を提供する。
【課題を解決するための手段】
【０００８】
本発明は、独立したメッセージページを確立するための方法を提供する。この方法は、
IMクライアントにより、メインパネル内のメッセージに対するトリガイベントを取得し、トリガイベントに従ってメッセージの識別情報を取得するステップと、
IMクライアントにより、メッセージの識別情報に対応する独立したメッセージページを決定するステップと、
IMクライアントにより、独立したメッセージページを表示するステップと
を有する。
【０００９】
また、本発明は、独立したメッセージページを確立するための装置を提供する。この装置は、
メインパネル内のメッセージに対するトリガイベントを取得し、トリガイベントに従ってメッセージの識別情報を取得するように構成された取得モジュールと、
取得モジュールによって取得されたメッセージの識別情報に対応する独立したメッセージページを決定するように構成された確立モジュールと、
確立モジュールによって確立された独立したメッセージページを表示するように構成された表示モジュールと
を具備する。
【００１０】
本発明の解決策を用いることによって、技術的効果が得られる。本発明の実施形態において、独立したメッセージページは、メインパネル内のメッセージに対するトリガイベントに従って、メッセージに対して確立および表示され、メインパネル内のメッセージに対応する独立したメッセージページに入ることが可能となる。したがって、メッセージに表示されるコンテンツは、著しく増加し、IMクライアントの有用性および双方向性が向上する。
【００１１】
本発明または従来技術の技術的解決策を明らかにするため、本発明または従来技術の実施形態に使用される添付の図面については、以降、簡単に示すこととする。説明する添付の図面が、単に本発明の好ましい実施形態に過ぎないことは明白である。当業者であれば、発明的な労力なしにこれらの添付図面に従って、他の添付図面を得ることは可能であろう。
【図面の簡単な説明】
【００１２】
【図１】本発明の実施形態による独立したメッセージページを確立するための方法を示す流れ図である。
【図２】本発明の実施形態によるアプリケーションシナリオにおける独立したメッセージページを示す概略図である。
【図３】本発明の実施形態による独立したメッセージページを確立するための装置を示す概略図である。
【図４】本発明の実施形態によるアプリケーションシナリオにおける独立したメッセージページを確立するための装置を示す概略図である。
【発明を実施するための形態】
【００１３】
本発明の技術的解決策では、IMクライアントがマイクロブログクライアントと組み合わせられたとき、マイクロブログの独立したメッセージページが、IMクライアントにおいて実施され、それにより、ユーザは、IMクライアントのメインパネル内のマイクロブログメッセージを表示したメッセージ本文をトリガすることによって、マイクロブログメッセージに対応する独立したメッセージページに入ることができる。独立したメッセージページでは、マイクロブログメッセージがマルチメディア情報、例えば、画像、音声、または動画を含む場合、マルチメディア情報のサムネイルが表示され、例えば、画像または動画のサムネイルが表示され、様々な操作、例えば、コピー操作、および開く操作が実行され得る。マイクロブログメッセージが、会話メッセージである場合、例えば、マイクロブログメッセージがユーザ間の会話に関係する場合、会話の元のテキストが表示され、会話全体の内容をその元のテキストに基づいて確認することができる。マイクロブログメッセージが転送メッセージである場合、例えば、マイクロブログメッセージが別のユーザによって公開され、このユーザによって転送される場合、転送メッセージに対応する元のメッセージを転送する回数が、既定値、例えば10回を超えると、元のメッセージを転送する回数が表示される。さらに、独立したメッセージページはまた、詳細なメッセージソース、メッセージを送信する特定の端末を表示し、この特定の端末について説明を行うことができる。
【００１４】
本発明の技術的解決策について、添付の図面を参照して、以降、詳細に示すことになる。説明する実施形態は、単に本発明の実施形態の一部に過ぎないことは明白である。発明的な労力なしに当業者によって得られる他の実施形態は、本発明の保護範囲にすべて属する。
【００１５】
図1は、本発明の実施形態による独立したメッセージページを確立するための方法を示す流れ図である。図1に示すように、この方法は、以下の動作を含む。
【００１６】
ブロック101では、IMクライアントは、メインパネル内のメッセージについてトリガイベントを取得し、このトリガイベントに従ってメッセージの識別情報を取得する。
【００１７】
トリガイベントは、マウスのダブルクリックイベントを含むマウスのクリックイベントであってもよい。IMクライアントは、メインパネルのメッセージ本文エリア内のダブルクリックイベントを監視する。ユーザがメッセージ本文エリアをダブルクリックすると、IMクライアントは、ダブルクリックイベントを取得し、ダブルクリックされたメッセージ本文の位置に従ってダブルクリックイベントに対応するメッセージのキー値を取得し、このキー値をメッセージの識別情報として取り、独立したメッセージページを確立することをIMクライアントの制御管理センタに通知し、すなわち、独立したメッセージページを確立するための要求を送り、パラメータを制御管理センタに送信する。これらのパラメータは、独立したメッセージページを確立するのに必要なデータを含んでいる。
【００１８】
ブロック102では、IMクライアントは、メッセージの識別情報に対応する独立したメッセージページを決定する。
【００１９】
具体的には、IMクライアントの制御管理センタは、サービス論理に従って独立したメッセージページを確立するかどうかを決定する。サービス論理は、例えば、ダブルクリック操作の後、独立したメッセージページを表示する、または右クリックメニューのオプションをクリックすることにより独立したメッセージページを表示する、独立したメッセージページの表示論理であってもよい。
【００２０】
1人のユーザである場合、ホームページ、@ page、および独立したメッセージページについて全世界で1つの例しか存在しないので、ホームページ、@ page、および独立したメッセージページのそれぞれは、1つのページしか有しておらず、ユーザのそれぞれの視聴者が1つのクライアントページに対応する。制御管理センタが独立したメッセージページを確立するための要求を受け取った後、この要求がメッセージの識別情報を含んでいる場合、制御管理センタは、識別情報に対応する独立したメッセージページが確立済みであるかどうかを決定する。識別情報に対応する独立したメッセージページが確立済みである場合、IMクライアントは、メッセージの識別情報に対応する独立したメッセージページを直接決定し、識別情報に対応する独立したメッセージページが未確立である場合、IMクライアントは、メッセージの識別情報に対応する独立したメッセージページを確立する。
【００２１】
本発明の実施形態において、識別情報に対応する独立したメッセージページを確立する場合、1つの事例で、独立したメッセージページが未確立であるとき、独立したメッセージページが確立され、独立したメッセージページのコンテンツは識別情報に対応し、別の事例で、確立された独立したメッセージページのコンテンツが識別情報に対応しないとき、確立された独立したメッセージページは独立したメッセージページのコンテンツを識別情報に対応させるために更新される。
【００２２】
独立したメッセージページが確立される場合、独立したメッセージページの全世界で唯一の情報が、可変のデータサービス(DataService)によって記憶され得、それにより、IMクライアントは、独立したメッセージページを確立する必要性が1度だけになり、独立したメッセージページは、全世界で唯一になる。独立したメッセージページが確立された後、同じキー値に対応するメッセージのコンテンツについて、IMクライアントは、独立したメッセージページを変更する必要はない。異なるキー値に対応するメッセージのコンテンツについては、IMクライアントは、確立された独立したメッセージページのそれぞれの部分を再度割り当てることによって、別のキー値に対応する独立したメッセージページを確立し、それにより、別のキー値に対応するメッセージのコンテンツは、独立したメッセージページを再度確立することなしに同じ独立したメッセージページ上に表示されて、IMクライアントの作業性能が改善される。独立したメッセージページは、以下のコンテンツ表示エリア、すなわち、送信者情報エリア、送信者メッセージ表示エリア、メッセージソース表示エリア、および特定情報表示エリアのうちの少なくとも1つを含む。
【００２３】
ブロック103では、IMクライアントは、独立したメッセージページを表示する。
【００２４】
全世界で見ることができるページは1つしか存在しないので、ホームページ、@ page、および独立したメッセージページのうちの1つが表示されるとき、他のページは非表示にされる。
【００２５】
本発明の実施形態において、トリガイベントに対応するメッセージが転送メッセージまたは会話メッセージであるとき、IMクライアントは、独立したメッセージページを使用することによってメッセージソース表示エリアを表示し、そのメッセージソース表示エリアの表示論理は、送信者メッセージ表示エリアの表示論理と同じものである。トリガイベントに対応するメッセージが他のタイプのメッセージであるとき、メッセージソース表示エリアは非表示にされる。
【００２６】
さらに、独立したメッセージページでは、マウスの右キーを使用することによって行われる操作は、送信者のメッセージ表示エリアおよびメッセージソース表示エリアにおいてサポートされる。具体的には、独立したメッセージページは1つの種類の制御に属するので、マウス右クリックイベントが制御層において監視され得る。マウス右クリックイベントが起こると、マウスの位置が送信者メッセージ表示エリアまたはメッセージソース表示エリア内にあるか決定され、マウスの位置が送信者メッセージ表示エリアまたはメッセージソース表示エリア内にある場合、さらにマウスの位置が画像プレビューエリア内にあるかどうかが決定される。マウスの位置が画像プレビューエリア内にある場合、IMクライアントは、画像右クリックメニューを用いてマウス右クリックイベントに応答し、そうでなければ、IMクライアントは、メッセージ本文の右クリックメニューを用いて応答する。画像右クリックメニューとメッセージ本文の右クリックメニューとは、異なっていても、または異なっていなくてもよい。
【００２７】
ブロック102では、独立したメッセージページが送信者情報エリアを含んでいるとき、IMクライアントは、メッセージの識別情報に従ってIMクライアント内に位置するメッセージ情報センタからメッセージの送信者のユーザ識別番号(UIN: User Identification Number)を取得し、UINに従ってメッセージの送信者の顔写真画像を取得し、UINに従って認証サーバからメッセージの送信者の認証情報を取得するが、認証情報には、ニックネーム、およびマイクロブログウェブサイトなどが含まれる。IMクライアントは、取得した顔写真画像および認証情報を送信者情報表示エリア内に表示する。IMクライアントは、顔写真画像についてのマウスクリックイベントを、認証情報の認証画像またはマイクロブログウェブサイトについてのマウスクリックイベントを監視する。マウスクリックイベントが起こると、IMクライアントは、マウスクリックイベントの識別フィールドに従ってジャンプアドレスを決定し、そのアドレスに対応するページにジャンプする。
【００２８】
独立したメッセージページが送信者メッセージ表示エリアを含んでいるとき、IMクライアントは、メッセージの識別情報に従ってメッセージのコンテンツおよびタイプを取得し、メッセージのコンテンツおよびタイプに従って送信者メッセージ表示エリアを作成する。メッセージのタイプが単にテキストであるとき、メッセージは直接表示される。メッセージのタイプがユニフォーム/ユニバーサルリソースロケータ(URL)メッセージであるとき、特別な効果、例えば、特別な色およびアンダーラインがURLメッセージについて構成され、URLメッセージのアドレスがIMクライアントに記憶され、URLメッセージがクリックされると、URLメッセージに対応するウェブサイトにジャンプする。メッセージのタイプがトピックメッセージ、例えば、特定トピックについての複数のユーザによって公開されたマイクロブログメッセージであるとき、特別な文字がトピックのキーワードの前後に付加され、トピックメッセージがクリックされると、このトピックのコンテンツに対応するウェブサイトにジャンプされる。メッセージのコンテンツがゲストの識別情報を含んでいるとき、特別な効果、または特別な色が構成され、識別情報がクリックされると、ゲストに対応するゲストページがトリガされる。メッセージのコンテンツがマルチメディア情報、例えば、画像情報、音声情報、または動画情報を含んでいるとき、マルチメディア情報のプレビュー効果画像が表示され、様々な操作、例えば、コピー操作およびオープン操作がこのマルチメディア情報について実行され得る。
【００２９】
独立したメッセージページがメッセージソース表示エリアを含んでいるとき、IMクライアントは、メッセージの識別情報に従ってメッセージのメッセージソースのコンテンツおよびタイプを取得し、メッセージソース表示エリア内にメッセージのメッセージソースのコンテンツおよびタイプを表示する。独立したメッセージページが特定情報表示エリアを含んでいるとき、IMクライアントは、メッセージの識別情報に従ってメッセージの送信時刻および送信モードを取得し、特定情報表示エリア内にメッセージの送信時刻および送信モードを表示する。メッセージが転送メッセージである場合、IMクライアントは、メッセージを転送する回数を取得し、メッセージについての様々な操作、例えば、会話操作、転送操作、コピー操作、および報告操作を行う。メッセージがIMクライアントを使用することによりユーザによって公開される場合、実行され得る操作には、キャンセル操作も含まれる。キャンセル操作が実行されると、独立したメッセージページのソース(例えば、ホームページ)には、メッセージがキャンセルされていることが通知され、対応するインターフェースが更新される。メッセージの識別情報は、メッセージのキー値であってもよい。
【００３０】
図2は、本発明の実施形態によるアプリケーションシナリオにおける独立したメッセージページを示す概略図である。この効果図の開発環境はVS2005のALTプロジェクトである。独立したメッセージページは、送信者情報エリア、送信者メッセージ表示エリア、メッセージソース表示エリア、および特定情報表示エリアを含み、独立したメッセージの最下部の所に位置し、中央に表示される2つのボタン「dialog」および「forward」もまた含んでいる。IMクライアントは、制御層におけるサイズ変更イベントを監視する。サイズ変更イベントが起こると、IMクライアントは、パネル全体の幅を計算し、2つのボタンのサイズを再度割り当て、それにより、2つのボタン「dialog」および「forward」のサイズが自動的にパネルの幅により変更される。
【００３１】
異なるメッセージ本文に対応するマイクロブログメッセージの長さは異なる可能性があるので、異なるメッセージ本文がトリガされると、異なるメッセージ本文に対応するマイクロブログメッセージのコンテンツをすべて、同じサイズで、独立したメッセージページが表示することはできない。したがって、割当てが、独立したメッセージページのコンテンツデータについて実行されると、独立したメッセージページのサイズは計算され、情報、例えば、スクロールバーの位置が、現在のメインパネルのサイズ、例えば、ユーザのホームページのサイズに従って動的に決定され、それにより、マイクロブログメッセージのコンテンツが大きいとき、ユーザは、スクロールバーをドラッグすることによって、マイクロブログメッセージのコンテンツをすべて確認することができる。図2に示すように、顔写真エリア、すなわち、weiweiの顔写真の下に、角のとがった効果が表示され、背景画像全体がjiugongモードを使用することによって描画可能であり、グラデーション色効果が使用され得、それにより、メッセージエリア全体の色が自然に推移する。
【００３２】
本発明の実施形態において、独立したメッセージページは、メインパネル内のメッセージについてのトリガイベントに従ってメッセージについて確立および表示され、メインパネル内のメッセージに対応する独立したメッセージページに入ることが可能になり、したがって、メッセージの表示されたコンテンツは、非常に増加し、IMクライアントの有用性および双方向性が改善される。
【００３３】
図3は、本発明の実施形態による独立したメッセージページを確立するための装置を示す概略図である。図3に示すように、この装置は、取得モジュール310、確立モジュール320、および表示モジュール330を含んでいる。
【００３４】
取得モジュール310は、メインパネル内のメッセージについてトリガイベントを取得し、このトリガイベントに従ってメッセージの識別情報を取得するようになされている。
【００３５】
確立モジュール320は、取得モジュール310によって取得したメッセージの識別情報に対応する独立したメッセージページを決定するようになされている。
【００３６】
表示モジュール330は、確立モジュール320によって確立された独立したメッセージページを表示するようになされている。
【００３７】
メッセージの識別情報は、トリガイベントに対応するメッセージのキー値を含んでいる。独立したメッセージページは、以下、すなわち、送信者情報エリア、送信者メッセージ表示エリア、メッセージソース表示エリア、および特定情報表示エリアのうちの少なくとも1つを含む。
【００３８】
独立したメッセージページが送信者情報エリアを含んでいるとき、確立モジュール320は、メッセージの識別情報に従ってメッセージ情報センタからメッセージの送信者のUINを取得し、UINに従って送信者の顔写真画像を取得し、認証サーバから送信者の認証情報を取得して、送信者情報エリア内に顔写真画像および認証情報を表示するようになされている。
【００３９】
独立したメッセージページが送信者メッセージ表示エリアを含んでいるとき、確立モジュール320は、メッセージの識別情報に従ってメッセージのコンテンツおよびタイプを取得し、送信者メッセージ表示エリア内にメッセージのコンテンツおよびタイプを表示するようになされている。
【００４０】
独立したメッセージページがメッセージソース表示エリアを含んでいるとき、確立モジュール320は、メッセージの識別情報に従ってメッセージのメッセージソースのコンテンツおよびタイプを取得し、メッセージソース表示エリア内にメッセージソースのコンテンツおよびタイプを表示するようになされている。
【００４１】
独立したメッセージページが特定情報表示エリアを含んでいるとき、確立モジュール320は、メッセージの識別情報に従ってメッセージの送信時刻および送信モードを取得し、特定情報表示エリア内にメッセージの送信時刻および送信モードを表示するようになされている。メッセージの識別情報は、メッセージのキー値であってもよい。
【００４２】
さらには、図4に示すように、この装置は、決定モジュール340をさらに含んでいる。
【００４３】
決定モジュール340が、識別情報に対応する独立したメッセージページが確立済みであることを決定すると、表示モジュール330は、独立したメッセージページを表示するようにさらになされている。決定モジュール340が、識別情報に対応する独立したメッセージページが未確立であることを決定すると、確立モジュール320は、識別に対応する独立したメッセージページを確立するようにさらになされている。
【００４４】
確立モジュール320が第1のユニットおよび第2のユニットを含んでいる。第1のユニットは、独立したメッセージページが未確立であるとき、独立したメッセージページを確立するようになされており、独立したメッセージページのコンテンツは識別情報に対応し、第2のユニットは、確立された独立したメッセージページが識別情報に対応していないとき、確立された独立したメッセージページを更新するようになされており、更新された独立したメッセージページのコンテンツは識別情報に対応する。
【００４５】
本発明の実施形態において、独立したメッセージページは、メインパネル内のメッセージについてのトリガイベントに従ってメッセージについて確立および表示され、メインパネル内のメッセージに対応する独立したメッセージページに入ることが可能になり、したがって、メッセージの表示されたコンテンツは、非常に増加し、IMクライアントの有用性および双方向性が改善される。
【００４６】
上記の例の説明によれば、本発明が、必要な汎用ハードウェアプラットフォームを伴うソフトウェアによって、またはハードウェアによって実現可能であることを当業者は明らかに理解できるであろう。多くの事例で、汎用ハードウェアプラットフォームは好ましい様態である。これに基づいて、本発明の技術的解決策の基本的部分、または従来技術に寄与する部分は、ソフトウェア製品の形態であり得、コンピュータソフトウェア製品は、記憶媒体内に記憶され、(ハンドセット、パーソナルコンピュータ、サーバ、またはネットワークデバイスなどの)コンピュータデバイスに本発明の実施形態における方法を実行させるためのいくつかのコードを含んでいる。
【００４７】
以上の記載は、単に、本発明の好ましい例に過ぎない。本発明の趣旨および原理から逸脱することなく、いずれの修正形態、等価的な置換形態、または改良形態も、本発明の保護範囲内にある。
【００４８】
デバイスの実施形態におけるモジュールが、実施形態の説明に従って実施形態のデバイス内に分布することも、または実施形態とは異なる1つまたは複数のデバイス内に位置するようにそれに応じて変更することも可能であることを当業者は認識できるであろう。上記の実施形態におけるモジュールは、1つのモジュールに統合されても、またはさらに複数のサブモジュールに分割されてもよい。
【００４９】
本発明の上記の実施形態における順序番号は、説明のためにのみ使用しており、優れたまたはより優れた実施形態を示すものではない。
【００５０】
以上の記載は、単に、本発明の詳細な例であり、本発明の保護範囲を限定することを意図しない。いずれの修正形態、等価的な置換形態、または改良形態も、本発明の保護範囲内にある。
【符号の説明】
【００５１】
310  取得モジュール
320  確立モジュール
330  表示モジュール
340  決定モジュール
【図１】
2013533538.tif 000003
【図２】
2013533538.tif 000004
【図３】
2013533538.tif 000005
【図４】
2013533538.tif 000006
【手続補正書】
【提出日】平成24年12月6日(2012.12.6)
【手続補正１】
【補正対象書類名】明細書
【補正対象項目名】０００１
【補正方法】変更
【補正の内容】
【０００１】
この出願は、2011年3月1日に出願された国際出願第PCT/CN2011/071421号に継続するものである。この出願は、2010年6月24日に出願された中国特許出願第201010208517.1号の優先権を主張するものである。上記出願それぞれの開示内容のすべてが引用によって本明細書に組み込まれる。
本発明は、インターネット技術に関し、より詳細には、独立したメッセージページ(independent message page)を確立するための方法および装置に関する。
【手続補正２】
【補正対象書類名】特許請求の範囲
【補正対象項目名】全文
【補正方法】変更
【補正の内容】
【特許請求の範囲】
【請求項１】
独立したメッセージページを確立するための方法であって、
インスタントメッセージング（ＩＭ）クライアントにより、メインパネル内のメッセージに対するトリガイベントを取得し、前記トリガイベントに従って前記メッセージの識別情報を取得する段階と、
前記ＩＭクライアントにより、前記メッセージの前記識別情報に対応する独立したメッセージページを決定する段階と、
前記ＩＭクライアントにより、前記独立したメッセージページを表示する段階と
を有することを特徴とする方法。
【請求項２】
前記独立したメッセージページページが、送信者情報エリア、送信者メッセージ表示エリア、メッセージソース表示エリア、および特定情報表示エリアのうちの少なくとも１つを含むことを特徴とする請求項１に記載の方法。
【請求項３】
前記独立したメッセージページが前記送信者情報エリアを含む場合、
前記ＩＭクライアントにより、前記メッセージの前記識別情報に対応する独立したメッセージページを決定する前記段階が、
前記ＩＭクライアントにより、前記メッセージの前記識別情報に従って前記メッセージの送信者のユーザ識別番号（ＵＩＮ）を取得する段階と、
前記ＩＭクライアントにより、前記ＵＩＮに従って前記送信者の顔写真画像を取得し、前記送信者の認証情報を取得する段階と、
前記ＩＭクライアントにより、前記送信者情報表示エリアに前記顔写真画像および前記認証情報を表示する段階と
を含むことを特徴とする請求項２に記載の方法。
【請求項４】
前記独立したメッセージページが前記送信者メッセージ表示エリアを含む場合、
前記ＩＭクライアントにより、前記メッセージの前記識別情報に対応する独立したメッセージページを決定する前記段階が、
前記ＩＭクライアントにより、前記メッセージの前記識別情報に従って前記メッセージのコンテンツおよびタイプを取得し、前記送信者メッセージ表示エリアに前記メッセージの前記コンテンツおよび前記タイプを表示する段階
を含むことを特徴とする請求項２に記載の方法。
【請求項５】
前記独立したメッセージページが前記メッセージソース表示エリアを含む場合、
前記ＩＭクライアントにより、前記メッセージの前記識別情報に対応する独立したメッセージページを決定する前記段階が、
前記ＩＭクライアントにより、前記メッセージの前記識別情報に従って前記メッセージのメッセージソースのコンテンツおよびタイプを取得し、前記メッセージソース表示エリアに前記メッセージソースの前記コンテンツおよび前記タイプを表示する段階
を含むことを特徴とする請求項２に記載の方法。
【請求項６】
前記独立したメッセージページが特定情報表示エリアを含む場合、
前記ＩＭクライアントにより、前記メッセージの前記識別情報に対応する独立したメッセージページを決定する前記段階が、
前記ＩＭクライアントにより、前記メッセージの前記識別情報に従って前記メッセージの送信時刻および送信モードを取得し、前記特定情報表示エリアに前記メッセージの前記送信時刻および前記送信モードを表示する段階
を含むことを特徴とする請求項２に記載の方法。
【請求項７】
前記ＩＭクライアントにより、前記メッセージの前記識別情報に対応する独立したメッセージページを決定する前記段階が、
前記ＩＭクライアントにより、前記識別情報に対応する前記独立したメッセージページが前記識別情報に従って確立済みであるか否かを決定する段階と、
前記ＩＭクライアントにより、前記識別情報に対応する前記独立したメッセージページが未確立である場合、前記識別情報に対応する前記独立したメッセージページを確立する段階と
を含むことを特徴とする請求項１に記載の方法。
【請求項８】
前記ＩＭクライアントにより、前記識別情報に対応する前記独立したメッセージページを確立する前記段階が、
独立したメッセージページが未確立である場合、前記独立したメッセージページを確立する段階であって、前記独立したメッセージページのコンテンツは前記識別情報に対応する、段階と、
確立された独立したメッセージページが前記識別情報に対応していない場合、前記確立された独立したメッセージページを更新する段階であって、更新済みの前記確立された独立したメッセージページのコンテンツは前記識別情報に対応する、段階と
を含むことを特徴とする請求項７に記載の方法。
【請求項９】
前記メッセージの前記識別情報が、前記メッセージのキー値であることを特徴とする請求項１ないし８のいずれか１項に記載の方法。
【請求項１０】
独立したメッセージページを確立するための装置であって、
メインパネル内のメッセージに対するトリガイベントを取得し、前記トリガイベントに従って前記メッセージの識別情報を取得するように構成された取得モジュールと、
前記取得モジュールによって取得された前記メッセージの前記識別情報に対応する独立したメッセージページを決定するように構成された確立モジュールと、
前記確立モジュールによって確立された前記独立したメッセージページを表示するように構成された表示モジュールと
を具備することを特徴とする装置。
【請求項１１】
前記独立したメッセージページが送信者情報エリアを含む場合、前記確立モジュールが、前記メッセージの前記識別情報に従って前記メッセージの送信者のユーザ識別情報（ＵＩＮ）を取得し、前記ＵＩＮに従って前記送信者の顔写真画像を取得し、前記送信者の認証情報を取得して、前記送信者情報エリアに前記顔写真画像および前記認証情報を表示するようにさらに構成されていることを特徴とする請求項１０に記載の装置。
【請求項１２】
前記独立したメッセージページが送信者メッセージ表示エリアを含む場合、前記確立モジュールが、前記メッセージの前記識別情報に従って前記メッセージのコンテンツおよびタイプを取得し、前記送信者メッセージ表示エリアに前記メッセージの前記コンテンツおよび前記タイプを表示するようにさらに構成されていることを特徴とする請求項１０に記載の装置。
【請求項１３】
前記独立したメッセージページがメッセージソース表示エリアを含む場合、前記確立モジュールが、前記メッセージの前記識別情報に従って前記メッセージのメッセージソースのコンテンツおよびタイプを取得し、前記メッセージソース表示エリアに前記メッセージソースの前記コンテンツおよび前記タイプを表示するようにさらに構成されていることを特徴とする請求項１０に記載の装置。
【請求項１４】
前記独立したメッセージページが特定情報表示エリアを含む場合、前記確立モジュールが、前記メッセージの前記識別情報に従って前記メッセージの送信時刻および送信モードを取得し、前記特定情報表示エリアに前記メッセージの前記送信時刻および前記送信モードを表示するようにさらに構成されていることを特徴とする請求項１０に記載の装置。
【請求項１５】
前記識別情報に対応する前記独立したメッセージページが、前記識別情報に従って確立済みであるか否かを決定するように構成された決定モジュールをさらに具備し、
前記識別情報に対応する前記独立したメッセージページが未確立である場合、前記確立モジュールが、前記識別情報に対応する前記独立したメッセージページを確立するようにさらに構成されていることを特徴とする請求項１０に記載の装置。
【請求項１６】
前記確立モジュールが、
独立したメッセージページが未確立である場合、前記独立したメッセージページを確立するように構成された第１ユニットであって、前記独立したメッセージページのコンテンツは前記識別に対応する、第１ユニットと、
確立された独立したメッセージページが前記識別情報に対応していない場合、前記確立された独立したメッセージページを更新するように構成された第２ユニットであって、更新済みの前記確立された独立したメッセージページのコンテンツは前記識別情報に対応する、第２ユニットと
を具備することを特徴とする請求項１５に記載の装置。
【請求項１７】
コンピュータデバイスによって実行されたとき、前記コンピュータデバイスに請求項１ないし９のいずれか１項に記載の方法を実行させる命令を含む１つまたは複数のプログラムを記録したコンピュータ読み取り可能な記録媒体。
【国際調査報告】
2013533538.tif 000007
2013533538.tif 000008
2013533538.tif 000009
2013533538.tif 000010